(57)【特許請求の範囲】
【請求項１】
楽曲に対応付けられている曲番を音階又は音の長さで置換して成るメロディ情報を、楽曲識別情報により読み出し可能なようにして、所定の記憶装置にて記憶している着メロデータベースと、
ネットワークを介して携帯電話機からのアクセスが検出されると、楽曲予約開始のための楽曲予約初期画面を表示させる表示データを所定の記憶装置から読み出して当該携帯電話機へ送信する、予約画面送信手段と、
前記楽曲予約初期画面の表示データを送信した携帯電話機から楽曲を選択するデータが受信されると、当該選択にかかる楽曲の楽曲識別情報によって指示されるメロディ情報を前記着メロデータベースから読み出して、着メロデータである旨のデータとともに当該携帯電話機へ送信することにより当該送信先の携帯電話機にて当該メロディ情報を音声出力可能とする、リモコン情報送信手段と、
を有することにより、メロディ情報送信先にて携帯電話機の音声出力に基づいて楽曲予約用のリモコン信号を生成できるようにした、ことを特徴とするリモコン情報サーバ。
【請求項２】
請求項１のリモコン情報サーバと、アダプタ装置と、予約された楽曲を所定のタイミングで演奏するカラオケ装置本体と、から成るカラオケシステムであって、
前記アダプタ装置は、
携帯電話機から出力される音声を取得する音声入力手段と、
赤外線を発光する赤外線発光手段と、
音階又は音の長さを持つ音声データの各音階又は音の長さを、それぞれ、楽曲予約用の曲番である数字列データの各数字として対応付けるために、所定の記憶装置に記憶されている音声・数字列変換テーブルと、
前記音声入力手段から入力された音声に基づいて音声データを生成し、該生成した音声データに対応する数字列データを前記音声・数字列変換テーブルから取得し、該取得した数字列データに対応する赤外線信号を前記赤外線発光手段から楽曲予約用のリモコン信号として出力させるリモコン信号送信手段とを有し、
前記カラオケ装置本体は、
赤外線受光手段と、
前記赤外線受光手段から入力された赤外線信号に基づいて数字列データを生成し、該生成した数字列データにより指示される楽曲の演奏を予約する予約手段とを有し、
前記リモコン情報サーバからメロディ情報を受信した携帯電話機が該メロディ情報に基づいて出力する音声に基づいて楽曲の演奏を予約するようにした、
ことを特徴とするカラオケシステム。
【請求項３】
請求項１のリモコン情報サーバと、予約された楽曲を所定のタイミングで演奏するカラオケ装置と、から成るカラオケシステムであって、
前記カラオケ装置は、
携帯電話機から出力される音声を取得する音声入力手段と、
音階又は音の長さを持つ音声データの各音階又は音の長さを、それぞれ、楽曲予約用の曲番である数字列データの各数字として対応付けるために、所定の記憶装置に記憶されている音声・数字列変換テーブルと、
前記音声入力手段から入力された音声に基づいて音声データを生成し、該生成した音声データに対応する数字列データを前記音声・数字列変換テーブルから取得して、該取得した数字列データにより指示される楽曲の演奏を予約する予約手段とを有し、
前記リモコン情報サーバからメロディ情報を受信した携帯電話機が該メロディ情報に基づいて出力する音声に基づいて楽曲の演奏を予約するようにした、
ことを特徴とするカラオケシステム。
【発明の詳細な説明】
【０００１】
【発明の属する技術分野】
この発明は、リモコン情報サーバとカラオケシステムに関する。
【０００２】
【従来の技術】
カラオケ装置に次に歌う楽曲を予約する際には、楽曲の曲番を楽曲目次本で調べて、該曲番をリモコンに入力して、カラオケ装置に楽曲予約を行っていた。
【０００３】
【発明が解決しようとする課題】
しかし、カラオケ装置のリモコンは、１台のカラオケ装置に通常１台しか付属していないため、グループでカラオケを利用する場合には、リモコンの取り合いになるという問題があった。
【０００４】
また、付属するリモコンの数を増やしても、楽曲の曲番が分からなくては、予約を行うことができないため、楽曲目次本の数も同様に増やす必要があった。また、楽曲目次本は、新譜が出る度に更新しなければならないため、メンテナンスが面倒であるという問題もあった。
【０００５】
最近は、携帯電話機の普及が進み、多くの人が携帯電話機を持ち歩いている。もし、この携帯電話機をリモコンとして使用できれば、リモコンを増やす必要もなくなり、また、携帯電話機を楽曲目次本の代わりに使用できれば、楽曲目次本を増やす必要や楽曲目次本のメンテナンスの必要もなくなるため、カラオケ店側としてはメリットがある。
【０００６】
他方、顧客側もリモコンの取り合いの必要がなくなり、また、曲番の入力操作を自動的にしてやることで、楽曲入力の手間が省けるとともに曲番の誤入力もなくなるというメリットが期待できる。更に、誤入力の心配がなくなれば、折角順番が回って来たと思ったら番号違いで、また順番待ちをしなければならない、ということも生じなくなるので、顧客サービスも向上する。
【０００７】
しかし、携帯電話機は規格化された商品であり、特定の用途のために改造することは難しい、勿論出来ないということではないが、携帯電話機をリモコンをして使うために改造することは、携帯電話機メーカーおよび通信事業者の協力が必要となり、更に、リモコン対応の携帯が普及しなければならない、という問題がある。したがって、携帯電話機に特別の変更を加えないで、実現することが好ましい。
【０００８】
この発明は、上述した背景に鑑みなされたものにして、顧客の携帯電話機（携帯端末装置）に特別の変更を加えないで、携帯電話機の機能を使って携帯電話機をリモコンとして使用できるように工夫されたカラオケシステム、携帯端末装置にリモコン情報を提供するネットワークサーバ、リモコン情報をリモコン信号に変換するリモコン用アダプタ装置、遠隔制御システム、携帯端末装置を用いた遠隔制御方法およびネットワークサーバからリモコン情報を取得する携帯端末装置用プログラムを提供することを目的とするものである。
【０００９】
【課題を解決するための手段】
本発明は、下記［１］〜［３］のように構成される。
［１］構成１：
楽曲に対応付けられている曲番を音階又は音の長さで置換して成るメロディ情報を、楽曲識別情報により読み出し可能なようにして、所定の記憶装置にて記憶している着メロデータベースと、
ネットワークを介して携帯電話機からのアクセスが検出されると、楽曲予約開始のための楽曲予約初期画面を表示させる表示データを所定の記憶装置から読み出して当該携帯電話機へ送信する、予約画面送信手段と、
前記楽曲予約初期画面の表示データを送信した携帯電話機から楽曲を選択するデータが受信されると、当該選択にかかる楽曲の楽曲識別情報によって指示されるメロディ情報を前記着メロデータベースから読み出して、着メロデータである旨のデータとともに当該携帯電話機へ送信することにより当該送信先の携帯電話機にて当該メロディ情報を音声出力可能とする、リモコン情報送信手段と、
を有することにより、メロディ情報送信先にて携帯電話機の音声出力に基づいて楽曲予約用のリモコン信号を生成できるようにした、ことを特徴とするリモコン情報サーバ。
【００１０】
構成１に記載の発明によれば、顧客の携帯電話機（携帯端末装置）に特別の変更を加えないで、携帯電話機の機能を使ってリモコンとして使用できるように工夫されたカラオケシステムにリモコン情報を送信するリモコン情報サーバを提供できる。
【００１１】
［２］構成２：
構成１のリモコン情報サーバと、アダプタ装置と、予約された楽曲を所定のタイミングで演奏するカラオケ装置本体と、から成るカラオケシステムであって、
前記アダプタ装置は、
携帯電話機から出力される音声を取得する音声入力手段と、
赤外線を発光する赤外線発光手段と、
音階又は音の長さを持つ音声データの各音階又は音の長さを、それぞれ、楽曲予約用の曲番である数字列データの各数字として対応付けるために、所定の記憶装置に記憶されている音声・数字列変換テーブルと、
前記音声入力手段から入力された音声に基づいて音声データを生成し、該生成した音声データに対応する数字列データを前記音声・数字列変換テーブルから取得し、該取得した数字列データに対応する赤外線信号を前記赤外線発光手段から楽曲予約用のリモコン信号として出力させるリモコン信号送信手段とを有し、
前記カラオケ装置本体は、
赤外線受光手段と、
前記赤外線受光手段から入力された赤外線信号に基づいて数字列データを生成し、該生成した数字列データにより指示される楽曲の演奏を予約する予約手段とを有し、
前記リモコン情報サーバからメロディ情報を受信した携帯電話機が該メロディ情報に基づいて出力する音声に基づいて楽曲の演奏を予約するようにした、
ことを特徴とするカラオケシステム。
【００１２】
構成２に記載の発明によれば、リモコン情報を携帯電話機でダウンロード可能なメロディ情報としてリモコン情報サーバから携帯電話機に提供することができ、携帯電話機に音声出力させて、その出力信号をアダプタ装置で音声情報として受け取りリモコン信号に変換してカラオケ装置を制御することができる。
【００１３】
［３］構成３：
構成１のリモコン情報サーバと、予約された楽曲を所定のタイミングで演奏するカラオケ装置と、から成るカラオケシステムであって、
前記カラオケ装置は、
携帯電話機から出力される音声を取得する音声入力手段と、
音階又は音の長さを持つ音声データの各音階又は音の長さを、それぞれ、楽曲予約用の曲番である数字列データの各数字として対応付けるために、所定の記憶装置に記憶されている音声・数字列変換テーブルと、
前記音声入力手段から入力された音声に基づいて音声データを生成し、該生成した音声データに対応する数字列データを前記音声・数字列変換テーブルから取得して、該取得した数字列データにより指示される楽曲の演奏を予約する予約手段とを有し、
前記リモコン情報サーバからメロディ情報を受信した携帯電話機が該メロディ情報に基づいて出力する音声に基づいて楽曲の演奏を予約するようにした、
ことを特徴とするカラオケシステム。
【００３３】
【発明の実施の形態】
以下、この発明の実施の形態を図に基づいて説明する。図１は、本発明を実現するシステム（ｗｅｂサーバ（ネットワークサーバ）２０、インターネット（ネットワーク）６０、基地局５０、携帯端末装置（携帯電話機またはＰＨＳ（personal handyphone system）；以下「携帯電話機」と称する）１０，１１、リモコン用アダプタ３０，３１、カラオケ装置（カラオケ制御装置（コマンダ）４１，カラオケ演奏装置４２）４０からなるカラオケシステム１００）を例示する説明図である。
【００３４】
携帯電話機１０，１１は、カラオケ店７０にいる顧客の所持するものであり、数字入力機能および適宜のファンクションモードで文字入力機能を有する数字入力キー、並びにカーソル移動や「決定」，「戻る」，「メニュー」等の各種ファンクション入力を行うためのファンクションキーを備えており、これらのキーを用いて、カラオケ店７０の顧客は、通信カラオケメーカーなどが開設する△□カラオケホームページ（ＨＰ）へのアクセスし、カラオケ装置４０を遠隔操作するためのリモコン情報（本実施例では、楽曲予約用情報（曲番情報））のダウンロードを行うことができる。
【００３５】
ｗｅｂサーバ２０は、カラオケ情報（新譜情報、曲名や歌手名等の楽曲情報、カラオケ装置４０を遠隔操作するためのリモコン情報などを提供する△□カラオケＨＰが開設されたサーバであり、楽曲情報データベース（ＤＢ）２１，着メロＤＢ２２，電話番号ＤＢ２３，コンテンツ情報ＤＢ２４を備えている。
【００３６】
楽曲情報ＤＢ２１には、曲名，歌手名，歌い出し歌詞情報などが記憶されており、楽曲検索の際に用いられる。
【００３７】
着メロＤＢ２２には、着信メロディー（携帯電話機の着信を知らせる曲やフレーズ）がファイルデータとして記憶されている。更に、本発明では、カラオケ装置４０を遠隔操作するリモコン情報として楽曲予約用情報（楽曲の曲番情報）２２ａがメロディー情報（曲番の数字列を図６Ａに示したような変換テーブルを用いて音階に置き換えた音声情報（例えば、数字列"２，５，８，３，０"は、音階"レ，ファ，ラ，ｂ（フラット）ミ，シ"に変換される）または図６Ｂに示したような変換テーブルを用いて音の長さに置き換えた音声情報）のファイルデータとして記憶されている。
【００３８】
電話番号ＤＢ２３には、カラオケ店や問い合わせ先等の電話番号情報がファイルデータとして記憶されている。更に、本発明では、カラオケ装置４０を遠隔操作するリモコン情報として楽曲予約用情報（曲番情報）２３ａが曲番の数字列の情報のファイルデータとして記憶されている。
【００３９】
コンテンツ情報ＤＢ２４には、ＨＴＭＬ（hyper text markup language）形式，ＣＨＴＭＬ（compact HTML）形式またはＸＨＴＭＬ（extended HTML）形式のインターネットのホームページを作成するのに用いられる言語を用いて記述された△□カラオケＨＰのホームページ情報が記憶されている。
【００４０】
４０は、カラオケ店７０に設置されたカラオケ制御装置（コマンダ）４１とカラオケ演奏装置４２よりなるカラオケ装置である。カラオケ装置４０には、楽曲の演奏予約や演奏取り消し，音量調整などを遠隔操作するためのリモコン４３が付属しており、該リモコン４３は、遠隔制御用のリモコン信号を送信するための赤外線発光部を備え、カラオケ制御装置４１側には、前記リモコン信号を受信するための赤外線受光部４１１（図２参照）が備えられている。
【００４１】
３０，３１は、顧客が携帯電話機１０，１１を使って前記ｗｅｂサーバ２０の△□カラオケＨＰからダウンロードしたカラオケ装置４０を遠隔操作するためのリモコン情報（本実施例では、楽曲予約用情報（曲番情報））を、該携帯電話機１０又は１１から取得して、該取得した楽曲予約用情報をカラオケ装置４０にリモコン信号として出力するためのリモコン用アダプタ装置である。本実施例において、リモコン用アダプタ装置３０は、前記楽曲予約用情報（曲番情報）をアナログの音声情報としてマイク３０１（図２参照）により取得するタイプのものであり、リモコン用アダプタ装置３１は、前記楽曲予約用情報（曲番情報）を数字列の情報としてインターフェース（Ｉ／Ｆ部）３１１（図２参照）を介して取得するタイプのものである。尚、好適には、リモコン用アダプタ装置は、前記アダプタ装置３０，３１の両機能を備えた構成とすることもできる。
【００４２】
図２は、前記リモコン用アダプタ装置３０及び３１並びに携帯電話機１０、１１及びカラオケ装置４０のブロック構成を示した説明図である。
【００４３】
携帯電話機１０，１１には、各部の制御を行う制御部１０１、ｗｅｂサーバ２０からダウンロードしたリモコン情報（本実施例では、楽曲予約用情報（曲番情報））を記憶する記憶部１０２、前記楽曲予約用情報をアナログ音声信号に変換するデジタル―アナログ（Ｄ／Ａ）変換部１０３、前記アナログ音声信号を出力するスピーカ１０４およびイヤホン出力端子１０５、前記楽曲予約用情報を数字列情報として出力するＩ／Ｆ部１０６が備えられている。
【００４４】
リモコン用アダプタ装置３０は、前記携帯電話機１０，１１のスピーカ１０４から出力されたアナログ音声信号からなる楽曲予約用情報を入力するマイク３０１、携帯電話機１０，１１のイヤホン出力端子１０５が接続される音声信号入力端子３０２、前記マイク３０１及び音声信号入力端子３０２から入力された音声信号を検出してデジタル信号に変換する信号検出部３０３、前記デジタル信号に変換された音声信号を数字列に変換する制御部３０４、前記デジタル信号を数字列に変換するための変換テーブル（図６参照）を記憶する記憶部３０５、変換した数字列をカラオケ装置４０で受信可能な送信用リモコン信号に変換する送信用パルス変換部３０６、該送信用パルスに基づいて赤外線を発光する赤外線発光部３０７を備えている。
【００４５】
また、リモコン用アダプタ装置３１は、前記携帯電話機１０，１１のＩ／Ｆ部１０３と接続ケーブル３２を介して接続されるＩ／Ｆ部３１１と、該Ｉ／Ｆ部３１１から入力された数字列よりなるリモコン情報（本実施例では、楽曲予約用情報（曲番情報））を送信用パルス変換部３１６に出力する制御部３１４と、記憶部３１５と、送信用パルス変換部３１６からの出力されるパルスに基づいて赤外線を発光する赤外線発光部３１７を備えている。
【００４６】
カラオケ制御装置４１には、前記赤外線発光部３０７，３１７から出力された赤外線を受光する受光部４１１が備えられており、該受光したリモコン信号に基づいて、カラオケ演奏装置４２を制御する。
【００４７】
次に、カラオケ店７０の顧客が、携帯電話機１０又は１１を用いて、カラオケ装置４０に楽曲予約を行う方法を、図３のフローチャートおよび図４の携帯電話機１０又は１１の表示画面に表示された表示画面例に基づいて説明する。
【００４８】
図４Ａは携帯電話機１０，１１のトップメニューの表示画面例を示しており、表示画面の上段には、電波状態を示すアイコンやバッテリー残量を示すアイコンが表示されており、表示画面中段には、「着信ｂｏｘ」、「送信ｂｏｘ」、「Ｅメール」、「インターネット」、「住所録」、ＪａｖａTM（Javaは米国Sun Microsystems, Inc.の商標乃至登録商標）アプリ」の起動用アイコンが表示されており、表示画面下段には、「決定」「メニュー」「戻る」等の携帯電話機のファンクションキーに対応した操作用アイコンが表示されている。
【００４９】
図４Ａにおいて、カーソルで「インターネット」アイコンａを選択して、「決定」ファンクションキーを押下すると（ステップ１０１；以下、「ステップ」を「Ｓ」と称する、図面において同じ）、図４Ｂに示すインターネットメニュー画面が表示される（Ｓ１０２）。図４ＢのＵＲＬアドレス入力欄ｂにカラオケ装置４０のリモコン情報（本実施例では、楽曲予約用情報（曲番情報））を提供している△□カラオケＨＰのＵＲＬアドレスを入力して、「決定」ファンクションキーを押下すると（Ｓ１０３）、ｗｅｂサーバ２０にアクセスが行われ、△□カラオケＨＰのホームページ情報が携帯電話機１０，１１に送信される（Ｓ２１）。尚、該△□カラオケＨＰをブックマークに登録しておけば、次回のアクセスを１クリックで行うことできる。
【００５０】
図４Ｃは前記送信された△□カラオケＨＰの表示画面例を示した図である。図４Ｃにおいて、「楽曲検索」アイコンｃを選択して、「決定」ファンクションキーを押下すると（Ｓ１０４）、ｗｅｂサーバ２０から図４Ｄに示した「楽曲検索」のページ情報が送信される（Ｓ２２）。
【００５１】
図４Ｄにおいて、曲名入力欄ｄに、検索する曲名の文字列として、たとえば「あい」を入力して、「決定」ファンクションキーを押下すると（Ｓ１０５）、ｗｅｂサーバ２０から楽曲検索結果が送信される（Ｓ２３）。
【００５２】
図４Ｅは、前記送信された検索結果の表示画面例を示した図である。図４Ｅには「選曲決定で楽曲予約用のリモコン情報（曲番）がダウンロードされます」と表示されており、顧客にこの画面から楽曲予約用のリモコン情報がダウンロードできることをアナウンスしている。この画面で、顧客が所望の曲名、例えば、「愛ある・・・」を選択して、「決定」ファンクションキーを押下すると、該曲名に対応した楽曲予約用情報（曲番情報）がｗｅｂサーバ２０から携帯電話機１０，１１にダウンロードされることになる（Ｓ２４）。
【００５３】
尚、前記楽曲予約用情報（曲番情報）は、前述したようにメロディー情報（曲番の数字列を音階で置き換えた音声情報または音の長さで置き換えた音声情報）のファイルデータ又は曲番の数字列の情報のファイルデータとしてｗｅｂサーバ２０に保存されている。
【００５４】
楽曲予約情報をメロディー情報（音声情報）としてダウンロードする構成とする場合は、前記楽曲予約情報のメロディー情報（音声情報）ファイルを着メロＤＢ２２に保存し、前記図４Ｅに示した楽曲検索結果ページの曲名「愛ある・・・」に前記メロディー情報（音声情報）ファイルをリンクさせる。より具体的には、楽曲検索結果ページのＨＴＭＬまたはＣＨＴＭＬにおいて、曲名「愛ある・・・」に対して、前記メロディー情報（音声情報）ファイルを着メロデータであることを示すタグ（例えば、ｍｕｓｉｃタグ）を付加してリンクさせて記述する。
【００５５】
これにより、図４Ｅにおいて曲名「愛ある・・・」アイコンｅを選択して、「決定」ファンクションキーを押下すると（Ｓ１０６）、携帯電話機１０，１１は、該ｍｕｓｉｃタグに基づいて、楽曲予約用情報（曲番情報）のダウンロード後に図４Ｆに示した表示画面を表示する（Ｓ１０７、Ｓ１０８）。そして、図４Ｆの表示画面において、「演奏しますか？」アイコンfを選択して、「決定」ファンクションキーを押下すると（Ｓ１０９）、前記ダウンロードした楽曲予約用情報（曲番情報）がＤ／Ａ変換部１０３を介して、スピーカ１０４乃至イヤホン端子１０５からアナログ音声信号として出力される（Ｓ１１０、Ｓ１１１）。
【００５６】
他方、楽曲予約用情報（曲番情報）を曲番の数字列情報のファイルデータとしてダウンロードする構成とする場合には、数字列データよりなる曲番情報ファイルを電話番号ＤＢ２２に保存し、前記図４Ｅに示した楽曲検索結果ページの曲名「愛ある・・・」に該数字列データよりなる曲番情報ファイルをリンクさせて記憶する。より具体的には、楽曲検索結果ページのＨＴＭＬまたはＣＨＴＭＬにおいて、曲名「愛ある・・・」に対して、前記曲番情報ファイルを電話番号ファイルであることを示すタグ（例えば、ｔｅｌタグ）を付加して記述する。
【００５７】
これにより、図４Ｅにおいて曲名「愛ある・・・」アイコンｅを選択して、「決定」ファンクションキーを押下すると、携帯電話機１０，１１は、該ｔｅｌタグに基づいて、楽曲予約用情報（曲番情報）のダウンロード後に図４Ｇに示した表示画面を表示する（Ｓ１０７、Ｓ１０８）。そして、図４Ｇの表示画面において、「電話しますか？」アイコンｇを選択して、「決定」ファンクションキーを押下すると（Ｓ１０９）、前記ダウンロードした数字列データよりなる楽曲予約用情報（曲番情報）がＩ／Ｆ１０６から出力される（Ｓ１１１）。
【００５８】
リモコン用アダプタ装置３０は、前記スピーカ１０４から出力されたアナログ音声信号を検出すると（Ｓ３１）、アナログ―デジタル（Ａ／Ｄ）変換を行い、データを図６の変換テーブルに基づいて、数字列に変換する（Ｓ３２）。次に、変換した数字列をカラオケ装置４０で受信可能な送信用リモコン信号に変換し（Ｓ３３）、該送信用リモコン信号のパルスに基づいて赤外線発光部３０７を発光させる（Ｓ３４）。
【００５９】
他方、リモコン用アダプタ装置３１は、前記Ｉ／Ｆ部１０６からケーブル３２及びＩ／Ｆ部３１１を介して入力された数字列をカラオケ装置４０で受信可能な送信用リモコン信号に変換し（Ｓ３３）、該送信用リモコン信号のパルスに基づいて赤外線発光部３１７を発光させる（Ｓ３４）。
【００６０】
カラオケ装置４０は、該リモコン信号を受信し（Ｓ４１）、含まれる数字列に基づいて、対応する楽曲の演奏予約を行う（Ｓ４２）。
【００６１】
次にＪａｖａTMアプリを使用したリモコン情報（本実施例では、楽曲予約用情報（曲番情報））のダウンロードの操作方法を図４の携帯電話機１０又は１１の表示画面の表示画面例を示した説明図に基づいて説明する。
【００６２】
ＪａｖａTMアプリとは、ＪａｖａTMで作成されたプログラムであり、情報提供企業（本実施例では、△□カラオケＨＰを開設するカラオケメーカー）が提供するＪａｖａTMアプリをインターネット経由で取り込むことで、ＪａｖａTM対応携帯電話機で利用することができるプログラムのことである。このＪａｖａTMアプリによって、ネットワークに接続してリアルタイムに情報を入手したり、壁紙として起動させておくなど、いままでウェブでは表現ができなかった様々な効果や実用的な機能、快適な操作性をコンテンツに持たせることができるようになる、というものである。
【００６３】
リモコン情報のダウンロードを行うＪａｖａTMアプリは、予め携帯電話機１０，１１にインストールしておく。このようなＪａｖａTMアプリは、△□カラオケＨＰ，所定のダウンロードサイト若しくはカラオケ店に設置された端末装置から提供される。
【００６４】
図５Ａの携帯電話機１０，１１の表示画面に表示されたトップメニューから「ＪａｖａTMアプリ」アイコンａを選択すると、図５Ｂに示したようにＪａｖａTMアプリメニュー画面が表示される。画面には、予めインストールされたＪａｖａTMアプリがリスト表示される。「△□カラオケリモコン」なるＪａｖａTMアプリは、カラオケ装置４０を遠隔装置するためのリモコン情報のダウンロードするためのＪａｖａTMアプリを示している。
【００６５】
図５Ｂにおいて、「△□カラオケリモコン」アイコンｂを選択して、「決定」ファンクションキーを押下すると、ＪａｖａTMアプリ「△□カラオケリモコン」が起動し、Ｗｅｂサーバ２０の△□カラオケＨＰにアクセスが行われる。
【００６６】
図５Ｃは前記ＪａｖａTMアプリ「△□カラオケリモコン」によりアクセスされた△□カラオケＨＰの表示画面例を示した図である。ここで、「楽曲検索」アイコンcを選択し、「決定」ファンクションキーを押下すると、図５Ｄの楽曲検索画面が表示される。図５Ｄにおいて、曲名キー入力欄ｄに検索キー「あい」を入力して、「決定」ファンクションキーを押下すると、図５Ｅの楽曲検索結果画面が表示される。
【００６７】
図５Ｅにおいて、顧客が、「愛ある・・・」アイコンｅを選択し、「決定」ファンクションキーを押下すると、楽曲「愛ある・・・」に対応する楽曲予約用情報（曲番情報）が、Ｗｅｂサーバ２０からダウンロードされる。楽曲予約用情報は、前述したように、メロディー情報（曲番の数字列を音階で置き換えた音声情報または音の長さで置き換えた音声情報）のファイルデータ又は曲番の数字列の情報のファイルデータとしてダウンロードされ、ＪａｖａTMアプリは、メロディー情報（音声情報）のファイルデータをスピーカ１０４から出力し、他方、数字列の曲番データをI／Ｆ部１０６から出力する。
【００６８】
出力された楽曲予約用情報は、リモコン用アダプタ装置３０又は３１を介して、カラオケ装置４０に入力されて、カラオケ装置に楽曲予約を行うことができる。
【００６９】
尚、上述した本発明が示す携帯電話機を使用した機器の遠隔操作は、他の分野にも応用可能である。例えば、テレビ放送番組をビデオ録画する際や、ＦＭラジオ放送番組を録音する際にも応用することができる。この場合、放送番組を提供する放送局のホームページ等から録画・録音用のリモコン予約情報（例えば、Ｇコード予約情報）をダウンロードする構成とすることで実現可能である。
【００７０】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【００７１】
【発明の効果】
以上説明したように、本発明によれば、顧客の携帯電話機（携帯端末装置）に特別の変更を加えないで、携帯電話機の機能を使って携帯電話機をリモコンとして使用できるように工夫されたカラオケシステム、携帯端末装置にリモコン情報を提供するリモコン情報サーバを提供できる。
【図面の簡単な説明】
【図１】  本発明を実現するシステム（ｗｅｂサーバ（ネットワークサーバ）２０、インターネット（ネットワーク６０）、基地局５０、携帯端末装置（携帯電b話機またはＰＨＳ（personal handyphone system）；以下「携帯電話機」とする）１０，１１、リモコン用アダプタ３０，３１、カラオケ装置（カラオケ制御装置（コマンダ）４１，カラオケ演奏装置４２）４０からなるカラオケシステム１００）を例示する説明図である。
【図２】  リモコン用アダプタ装置３０及び３１並びに携帯電話機１０、１１及びカラオケ装置４０のブロック構成を示した説明図である。
【図３】  カラオケシステムの動作を示すフロー図である。
【図４】  携帯電話機１０，１１のインターネット機能を使ってカラオケ装置４０をリモコン操作する手順を示す携帯電話機１０，１１の表示画面の表示画面例を示した図である。
【図５】  携帯電話機１０，１１のＪａｖａTMアプリ機能を使ってカラオケ装置４０をリモコン操作する手順を示す携帯電話機１０，１１の表示画面の表示画面例を示した図である。
【図６】  メロディー情報（音声情報）と数字列との変換テーブルの例を示した図である。
【符号の説明】
１０，１１  携帯電話機
２０  Ｗｅｂサーバ（ネットワークサーバ）
２１  楽曲情報ＤＢ
２２  着メロＤＢ
２３  電話番号ＤＢ
２４  コンテンツ情報ＤＢ
３０，３１  リモコン用アダプタ装置
３２  接続ケーブル
４０  カラオケ装置
４１  カラオケ制御装置（コマンダ）
４２  カラオケ演奏装置
４３  リモコン
５０  基地局
６０  インターネット（ネットワーク）
７０  カラオケ店
１００  カラオケシステム
１０１  制御部
１０２  記憶部
１０３  Ｄ／Ａ変換部
１０４  スピーカ
１０５  イヤホン端子
１０６  Ｉ／Ｆ部
３０１  マイク部
３０２  音声信号入力端子
３０３  信号検出部
３０４，３１４  制御部
３０５，３１５  記憶部
３０６，３１６  送信用パルス変換部
３０７，３１７  赤外線発光部
３１１  Ｉ／Ｆ部
４１１  赤外線受光部
【図１】
0004029121.tif 000002
【図２】
0004029121.tif 000003
【図３】
0004029121.tif 000004
【図４】
0004029121.tif 000005
【図５】
0004029121.tif 000006
【図６】
0004029121.tif 000007